(57)【要約】【課題】  本発明はうつ伏せで寝る形態の特殊性に着目し、その目的に適う就寝装置を提供することを課題とする。【解決手段】  上記の目的を達成するため本発明の就寝装置は、人体がうつ伏せの形態で、体幹の前側を保持可能に形成された体幹受部と、体幹の前側より前方に上肢を保持可能に形成された上肢受部と、体幹の前側より前方に下肢を保持可能に形成された下肢受部と、からなる就寝装置において、  前記下肢が跨がった形態となることを特徴とする、就寝装置。【選択図】図１
2017056164.tif 000002
【特許請求の範囲】
【請求項１】
人体がうつ伏せの形態で、体幹の前側を保持可能に形成された体幹受部と、体幹の前側より前方に上肢を保持可能に形成された上肢受部と、体幹の前側より前方に下肢を保持可能に形成された下肢受部と、からなる就寝装置において、
前記下肢が跨がった形態となることを特徴とする、就寝装置。
【請求項２】
振動機能と、回転機能と、移動機能と、からなる動力を伴った駆動装置を連結することを特徴とする、請求項１の就寝装置
【発明の詳細な説明】
【技術分野】
【０００１】  本発明は睡眠や休息をとる際に利用するマットレス、ベッドに代わる就寝装置に関する。
【背景技術】
【０００２】  従来普及している技術は、総じて平面上に、人体を横たえて就寝することを主目的とした技術である。【０００３】  本出願人が調べた範囲において、特許文献１に開示された腰痛治療台が、本発明にもっとも近い構成を備えていると思われるが、それでも同文献１に開示されている内容は、平坦な面を用いた腰痛治療用ベッドである。
【特許文献】
【０００４】
【特許文献１】  特開２００６−３４１０１９公報
【非特許文献】
【０００５】
【非特許文献１】  日野原重明、川島みどり、丸川征四郎共著  「うつぶせ寝健康法」ベストセラーズ出版  ２００５年１１月
【発明の概要】
【発明が解決しようとする課題】
【０００６】  従来の平置き寝具やベッドは、横になったり、仰向けで寝るには適しているが、うつ伏せで寝る就寝装置としては適した構造になっていなかった。そこで、本発明はうつ伏せで寝る形態の特殊性に着目し、その目的に適う就寝装置を提供することを課題とする。
【課題を解決するための手段】
【０００７】  上記の目的を達成するため本発明の就寝装置は、人体の前面側の形態に則して構成され、
人体がうつ伏せの形態で、体幹の前側を保持可能に形成された体幹受部と、体幹の前側より前方に上肢を保持可能に形成された上肢受部と、体幹の前側より前方に下肢を保持可能に形成された下肢受部と、からなる就寝装置において、
前記下肢が跨がった形態となることを特徴とする、就寝装置である。【０００８】  更に、上記就寝装置に、振動機能と、回転機能と、移動機能と、からなる動力を伴った駆動装置を連結することを特徴とする就寝装置である。
【発明の効果】
【０００９】  本発明は以上説明したように構成されているので、以下に記載されるような効果を奏する。【００１０】  請求項１に記載されている発明は、うつ伏せ寝の形態の特殊性に着目して開発した就寝装置で、跨がった形態で就寝するという従来なかった発想で構成されているので、この就寝装置を用いることによって、長時間安定した状態でうつぶせ寝を可能とする。【００１１】  本願発明の効果は、これらの効果例に限定されるものではない。
【図面の簡単な説明】
【００１２】
【図１】  本発明の実施の形態に係る一体成型就寝装置の左側面図、及び背面図である。
【図２】  本発明の実施の形態に係る駆動装置内蔵の一体成型就寝装置の左側面図である。
【図３】  本発明の実施の形態に係る斜面式就寝装置実施例の左側面図（ａ）、と背面図（ｂ）、更に斜面式就寝装置本体の左側面図（ｃ）である。
【図４】  本発明の実施の形態に係る椅子組込式就寝装置の組込状態を表す斜視図である。
【図５】  本発明の実施の形態に係る椅子組込式就寝装置図４の、組込装置を展開した状態の斜視図である。
【図６】  本発明の実施の形態に係る椅子組込式就寝装置図５に人体を組み合わせた状態の斜視図（ａ）と、装置の可変式部分を展開した斜視図（ｂ）である。
【図７】  本発明の実施の形態に係るカプセル式就寝装置の左側断面図である。
【図８】  本発明の実施の形態に係る球面体就寝装置の斜視図である。
【図９】  本発明の実施の形態に係る抱き寝式マットの斜視図（ａ）、及び抱き寝式マットと人体との組み合わせによる実施例の斜視図（ｂ）である。
【発明を実施するための形態】
【００１３】  以下、本発明の実施の形態を図面に基づき詳細に説明する。
【００１４】  図１は、本発明の第１の形態に係る、曲面と平面で構成された合成樹脂一体成型による就寝装置１の実施例である。
この例では、人体の身長を１７０ｃｍと想定している。そのときの就寝装置１の外形寸法は、横巾約６５ｃｍ、奥行約１４０ｃｍ、高さ約７７ｃｍである。
就寝装置１上部に、体幹１３を乗せ、下肢１４は跨がった形態となる。上肢１２、下肢１４は、体幹１３の前側の前方、この例では下方に収納される。
この構成による就寝装置である。
【００１５】  この例では合成樹脂による一体成型であるが、例えば、自転車の骨組みのような構成でも、請求項１の条件を備えていれば良いものとする。
【００１６】  図２は、本発明の第２の形態に係る、図１の就寝装置１に加えて、動力を伴う駆動装置２を内蔵し、連動させた装置例の左側面図である。
この例では、駆動装置２の一部は就寝装置１内部に収納され、就寝装置１に動力を加え、例えば振動、移動、回転運動機能等を付加させることによって、より快適な睡眠効果を維持する目的がある。
【００１７】  さらに、図２の就寝装置１が、人体前面の要所に接している構造であることから、就寝装置１に様々な機能を付加して、一体として人体の持つ機能の幅を広げることが可能である。
【００１８】  例えば、前述した駆動装置の機能に、体温計測管理機能、温湿度計測管理機能、音響機能等を加えるなどして、その組み合わせにより、最も有効な睡眠環境を実現することが可能となり、不眠症などの改善手段として有効である。
【００１９】  そのような機能の組み合わせのコントロールは、デジタル技術によって、個々の利用者の条件を詳細に把握し、統制することで、適切な睡眠環境プログラムの実施が可能である。
【００２０】  図３は、本発明の第１の形態に係る、地面に置いた、緩やかな斜面を伴ったマット状の就寝装置３に伏せ寝した実施例の左側面図（ａ）と背面図（ｂ）及び本体左側面図（ｃ）である。
この例では、人体の身長は約１７０ｃｍを想定しており、就寝装置３の寸法は、横巾約１４０ｃｍ、縦幅約２１０ｃｍ、外周の厚みは約１２ｃｍ、総高さは約４０ｃｍで、通常のセミダブルベッドの形態の上面に斜面を伴う立体を加えて一体としたものである。
【００２１】  この例では、体幹１３が乗るやや前側のスペースの中心起点２６を最大の高さ約４０ｃｍとして本体４隅に向かって下り勾配となる曲面を想定している。
したがって、体幹１３を支える位置が最も高く、上肢１２は体幹１３より下り斜面に受け止められ、また、下肢１４は下り斜面に沿って跨がった形態となる。
この例の場合、想定している材質はウレタンフォームである。
【００２２】  しかし、この例では体幹１３より下方に、上肢１２と下肢１４が受け止められており、さらに下肢１４が跨がった形態であれば良いので、斜面を伴わなくても、単に段差があるだけでも良い。
したがって、実際の形状はこの限りではない。
【００２３】  また、この例の場合は一体型の形態を想定しているが、結果が上述した内容と同じであれば、平面状マットの上部に、上述したような斜面を伴ったマットや、あるいは体幹１３を支える部分に相当する大きさのマットを組み合わせた場合でも同様の効果があるので、本発明はそのような組み合わせも含むものとする。
【００２４】  更に、体幹１３の前側にマットや空気圧で膨らんだボール状の装具を股下から体幹前側にかけて装着してベッドにうつ伏せに寝て、上述のような形態になる場合も同様の効果があるので、本発明はそのような組み合わせも含むものとする。
【００２５】  図４は、本発明の第１の形態に係る、本就寝装置を椅子４に応用した例で、就寝装置５が内蔵された形態の斜視図である。この例での就寝装置５の仕様は、成形樹脂の内部に金属製の骨組みを伴ったものを想定している。
【００２６】  図５は図４の内蔵した就寝装置５を引き出して展開した形態の斜視図である。
【００２７】  図６は図５に人体が、就寝装置５に跨がった形態の実施例の斜視図（ａ）と、本体機能の一部に変化を加えた場合の就寝装置５の斜視図（ｂ）である。
【００２８】  （ａ）の実施例では体幹１３が就寝装置５に、寄り掛かる姿勢で就寝したときに、上肢１２を受け止めるように、肘掛け１５を装備している。
肘掛け１５は、上に立ててから、上下にスライドして希望の高さの位置で前に倒すことによって高さ調整ができるように想定している。
この例では一般的な肘掛けの形態であるが、上肢１２がくつろげるものであれば、上肢受部の形態は特に問わない。
【００２９】  また斜視図（ｂ）は、就寝装置５の、体幹１３や頭部１１を支える目的で分割された、ヘッドサポート１６を引き出して、高さを調節している例である。
【００３０】  これは一例であって、例えば飛行機や車両などの用途で、前後に連続している座席の場合は、前の座席の背中や、壁面に内蔵されている装置を手前に引き出して用いたり、或いは座席の前側に収納されていて、前側から立ち上がって用いられるような形態であっても良い。
また気体の膨張を利用して伸縮自在な形態であっても良い。
【００３１】  例えば、宇宙旅行の場合、省スペースが重要な課題だが、本発明を活用すれば、座席がそのまま就寝装置となるので、有効な手段である。
【００３２】  近年用途が開発されつつあるロボット技術との関わりなど、特殊な環境の中でも本発明は有効である。
【００３３】  例えばロボット機能を持つ用具を用いて生活する際にも、本就寝装置の機能と連携させることによって、ロボットを操る体勢のまま、休息や就寝が可能となる。
【００３４】  図７は、本発明の第１の形態に係る、本就寝装置をカプセル状のユニットにした場合の左側断面図である。
想定している素材は主として合成樹脂による成型部品の組み合わせによる。
この実施例の場合は、カプセルユニット枠１０の高さは約２００ｃｍを想定している。
人体の身長は約１７０ｃｍを想定して、臀部を置くヒップサポート２３を設け、就寝装置６の設置角度は約６０度である。カプセルホテルユニットまたは、就寝用カプセルユニットとして応用できる。頭部１１正面にはモニター２２を配置した例である。
【００３５】  更に、人体の前面に接した構造であることから、人体情報の取得手段、或いは外部情報の伝達手段としても有効に活用できるので、例えば宇宙旅行などで長期間冬眠状態に保たれる場合でも、生命維持機能を持つ省スペースな就寝装置として活用できる。
【００３６】  図８は、本発明の第１の形態に係る、就寝装置本体が球面体である場合の例で、自立式就寝装置７である。
支持ベース８の上に球面体の就寝装置７が連結されている。
この装置例の特徴は、球面体が支持ベース８と一体型の就寝装置であるということである。
材質は問わないが、形状が球面体であると、跨がって抱きつく形態に適しているので安定感がある。
中空体であったり、気体の圧力を利用して伸縮自在であったり、特定の意匠に成型可能である点も見逃せない、応用が効く形態例である。
【００３７】  図９は、本発明の第１の形態に係る、日常生活に取り入れやすい実施例で、（ａ）は本体外観斜視図である。
（ｂ）は人体を配した実施例の外観斜視図である。
【００３８】  居室で寛ぎながら、そのまま就寝に入るように工夫された日常生活型就寝装置、抱き寝式マット９である。
【００３９】  素材は、ウレタンフォームと成形樹脂の組み合わせを想定している。
抱き寝式マット９の座面はウレタンフォームと成型樹脂の組み合わせで、この例では、立ち上がり部分の厚み２１は約１０ｃｍから１５ｃｍほどを想定している。本体横巾約６０ｃｍ〜約７０ｃｍ程度、奥行きは約８０ｃｍ〜約９０ｃｍ程度、高さは約６０ｃｍ〜約６５ｃｍ程度である。
【００４０】  座面の凹み２０に座り、下肢１４は跨がった形態でフットサポート２４に投げ出すか、横に開くか自由である。この実施例（ｂ）の場合、下肢１４は横に開いている。
【００４１】  フェイスマット１８、及びアームサポート１９は、成形樹脂に発泡ウレタンを巻きつけたものを想定している。一番上はトレー１７になっており、小物や軽食などを入れておく容器である。
上肢１２はアームサポート１９に乗せて寛ぐことができる。本体前部のアームサポート１９を支持する体幹サポート２５は半透明樹脂の素材などで、内部に照明や音響装置、及び簡易温湿度調節機能を内蔵できる構造を想定している。
体幹１３を体幹サポート２５に委ね、上肢１２を体幹１３より前方に配し、下肢１４を跨がった形態で体幹１３より前方に配した就寝装置、抱き寝式マット９である。
【００４２】  本就寝装置、抱き寝式マット９は、例えば居室に置いて、くつろぎながらテレビを観て、そのまま眠りにつくということを容易に可能とする。
つまり、この就寝装置、抱き寝式マット９は生活習慣に近い形態で活用されるので、実生活のリズムに取り入れやすいという利点がある。
【００４３】  また、座面の形状をスツール型にして、腰掛けた高さで使用する様にしても良い。
【００４４】  本願発明は、これらの実施の形態に限定されるものではない。
また、これらの実施例に限定されるものではない。
【産業上の利用可能性】
【００４５】  本発明はうつ伏せ寝の形態の特殊性に着目して開発した就寝装置で、平置き寝具やマットレス及びベッド類に代わる発明である。
また、当該就寝装置は、従来の形態とは全く異なるが、用途は変わらないものである。
したがって、この装置が普及するとすれば、従来の産業と並列に、新たな市場を開拓できる可能性がある。
【符号の説明】
【００４６】１，３，６，７      就寝装置
２                  駆動装置
４                  椅子
５                  組込式就寝装置
８                  支持ベース
９                  抱き寝式マット
１０                カプセルユニット枠
１１                頭部
１２                上肢
１３                体幹
１４                下肢
１５                肘掛け
１６                ヘッドサポート
１７                トレー
１８                フェイスマット
１９                アームサポート
２０                凹み
２１                厚み
２２                モニター
２３                ヒップサポート
２４                フットサポート
２５                体幹サポート
２６                中心起点
【図１】
2017056164.tif 000003
【図２】
2017056164.tif 000004
【図３】
2017056164.tif 000005
【図４】
2017056164.tif 000006
【図５】
2017056164.tif 000007
【図６】
2017056164.tif 000008
【図７】
2017056164.tif 000009
【図８】
2017056164.tif 000010
【図９】
2017056164.tif 000011